(57)【要約】【課題】  美観の魅力を、履き心地のよさ、強度、および耐久性に組みさわせた靴を提供すること。【解決手段】  本発明は、第１の表面を備えた甲皮および、上面と底面を備え、上記上面に対してほぼ平行な方向な外延部をもち、上記第１の表面は、上記外延部に隣接する局所エリアで上記上面と接する足を載せるための足載せ手段をもった靴を提供する方法と装置に関する。固定手段は、上記第１の表面が上記上面に接する場所に隣接するエリアで、上記甲皮を上記足載せ手段に固定するために使用される。次に靴底は底面に固定される。好ましくは、加硫ゴムが上記靴底および上記底面に接して、加硫により上記靴底を上記底面に固定する。【選択図】図２
2004267779.tif 000002
【特許請求の範囲】
【請求項１】
第１の表面を備えた甲皮；
上面と底面を備え、上記上面に対してほぼ平行な方向な外延部をもち、上記第１の表面は、上記外延部に隣接する局所エリアで上記上面と接する、足を載せるための足載せ手段；
上記第１の表面が上記上面に接する場所に隣接するエリアで、上記甲皮を上記足載せ手段に固定する固定手段；
靴底；および
上記靴底および上記底面に接して、上記靴底を上記底面に固定する加硫ゴム
を備える靴。
【請求項２】
上記靴底と上記底面の間に、上記靴への緩衝作用を増すための、充填材をさらに備える請求項１に記載の靴。
【請求項３】
上記加硫ゴムが上記充填材、上記靴底および上記底面に接する請求項２に記載の靴。
【請求項４】
上記外延部の一部を覆うために、上記上面に接し、上記外延部をまわって上記底面に達する、覆い部をさらに備える請求項１に記載の靴。
【請求項５】
上記覆い部と上記靴底に接し、上記靴の、部品を一体化する側壁をさらに備える請求項４に記載の靴。
【請求項６】
第１の表面をもった甲皮を用意するステップ；
上面と底面とをもった足載せ手段を用意するステップ；
上記上面とほぼ平行な方向へ足載せ手段を広げて、その結果外延部を区画するステップ；
外延部に隣接する局所エリアで上記第１の表面を上記上面に接するステップ；
上記第１の表面が上記上面に接する場所に隣接するエリアで、上記甲皮を上記足載せ手段に固定するステップ；
靴底を上記底面に取り付けるステップ；
加硫ゴムを上記底面と上記靴底の間へ配置するステップ；および
上記加硫ゴム、上記靴底、および上記底面を加熱して、上記靴底と上記底面を接着するステップ；
を備える靴組み立て方法。
【請求項７】
上記靴底、上記加硫ゴムおよび上記底面を加硫するステップをさらに備える請求項６に記載の靴組み立て方法。
【請求項８】
上記靴底と上記底面の間に充填材を配置し、上記充填材、上記靴底、上記加硫ゴムおよび上記底面を加硫するステップをさらに備える請求項６に記載の靴組み立て方法。
【発明の詳細な説明】
【技術分野】
【０００１】
本発明は、美観を犠牲にせずにクッション性と強度を増した改良された靴の構造をもつ靴に関する。
【背景技術】
【０００２】
種々の異なる靴底構造が、履物産業により使用されている。たいていは、各靴底構造が、特定の用途に特に適するようにした特性をもつ。例えば、いくつかの靴底構造はそれらの耐久性のために選択され、他の靴底構造は柔軟性および快適性のために選択され、また、さらに他の靴底構造は美観に興味をそそるために選択される。
【０００３】
靴の構造の１つのタイプはサンクリスピーノ構造と呼ばれる。図１ａおよび図１ｂは、従来技術によるサンクリスピーノ靴構造を表わし、この靴構造は、甲皮１２、敷皮１４、および、敷皮１４の底面１８に固定されて、甲皮１２の内側に折り曲げられた端１６をもつ。典型的には、糸２０が甲皮１２を敷皮１４に固定するために使用される。
【０００４】
一般的に、サンクリスピーノ構造に従って作られた靴は、美観を訴える靴であると信じられている。しかし、甲皮１２が底面１８に固定されているので、靴を履いたときユーザはごつごつして起伏があると感じるかもしれない。さらに、糸２０は、通常、甲皮１２および／または覆い部２４を敷皮１４へ固定するために使用されるので、甲皮１２および／または覆い部２４と敷皮１４の全体の厚みは、一般的に機械または人が上記部品に糸２０を貫通可能な能力に制限される。たいてい、サンクリスピーノ構造にしたがって作られた靴の全体の厚みは、他の靴、特にスニーカーなどの厚い靴底の靴と比較したとき、比較的薄い。それ故サンクリスピーノ構造の靴は、スニーカーが提供するような緩衝作用を用意できないこともある。さらに、単にサンクリスピーノ構造の甲皮部分の底へ靴底を接着することは、厚い靴底の重さが加わったとき特に、靴部材をばらばらにならないようにまとめるのに十分な強度が不足することもある。
【０００５】
バーンによる特許文献１は、サンクリスピーノ構造の甲皮を靴底へ接着させる靴を開示しているようである。しかし、バーンは、典型的にサンクリスピーノ構造の靴で見られるごつごつして起伏がある状態を克服する靴について扱っているようにはみえない。また、バーンは十分な強度をもった靴を提供しているようにも見えない。
【０００６】
靴底の構造のもう１つのタイプは加硫と呼ばれる。その加硫は、接着剤として、加硫ゴムを靴部材に塗ること、および、靴部材を高温にすることを典型的には含む。ここで、加硫ゴムおよび複数の部品は、その後、１つのユニットとして互いに接着する。ゴムなどの高耐久性材料は靴部材としてしばしば使用される。なぜなら、高耐久性材料は、皮革などの靴に共通に用いられる他の材料とは反対に、高温に耐えるさらに高い性能を有しているからである。
【０００７】
他の構造の他の靴と比較して、一般的に重い材料、および使用される加硫ゴムの量のために、ありうる加硫の欠点は靴の重量がかなりあることである。加硫のもう１つのありうる欠点は、完成した靴の、結果として生じる粗野な外観であり、その粗野な外観はまた重くてかさばる材料を使用するためでもありうる。
【０００８】
それ故望まれるのは、あるタイプの靴に共通にみられるごつごつして起伏がある状態を改良する構造の靴である。また、望まれるのは、緩衝作用と履き心地のよさをさらに進めたより厚い靴底である。もう１つ望まれるのは、厚い靴底へ適切に固定された靴である。さらに望まれるのは、上記の欠点を克服するとともに、改良された美観を備える靴を提供することである。
【特許文献１】米国特許第５，６６４，３４３号
【発明の開示】
【発明が解決しようとする課題】
【０００９】
したがって、本発明の１つの目的は、履き心地のよい靴を提供することである。
【００１０】
もう１つの目的は、履き心地のよさおよび外観のよさをさらに進めるより厚い靴底を備えた靴を提供することである。
【００１１】
さらなる目的は、靴の甲皮部分に適切に固定された靴底を備えた靴を提供することである。
【００１２】
またさらなる目的は、美観の魅力を、履き心地のよさ、強度、および耐久性に組みさわせた靴を提供することである。
【課題を解決するための手段】
【００１３】
本発明のこれらのおよび他の目的は、第１の表面を備えた甲皮および、上面と底面を備え、上記上面に対してほぼ平行な方向な外延部をもち、上記第１の表面は、上記外延部に隣接する局所エリアで上記上面と接する足を載せるための足載せ手段をもった靴の提供により達成される。固定手段は、上記第１の表面が上記上面に接する場所に隣接するエリアで、上記甲皮を上記足載せ手段に固定するために使用される。次に靴底は底面に固定される。好ましくは、加硫ゴムが上記靴底および上記底面に接して、加硫により上記靴底を上記底面に固定する。
【００１４】
いくつかの実施の形態では、充填材は靴底と底面の間に位置し、靴の緩衝作用を増す。これらの実施の形態では、加硫ゴムは充填材、靴底、および底面に接する。
【００１５】
オプションとして、また、美観の魅力を増すために、覆い部は、甲皮が足載せ手段に固定されたエリアを覆うために使用されてもよい。覆い部は足載せ手段の上面に接し、外延部まわりを底面の下まで逹する。
【００１６】
本発明のもうひとつの形態では、１つの方法が用意される。上記１つの方法は、第１の表面をもった甲皮を用意するステップ、上面と底面とをもった足載せ手段を用意するステップ、および上記上面とほぼ平行な方向へ足載せ手段を広げて、その結果外延部を区画するステップを含む。この方法はさらに、外延部に隣接する局所エリアで第１の表面を上面に接するステップ、および上記第１の表面が上記上面に接する場所に隣接するエリアで、上記甲皮を上記足載せ手段に固定するステップを含む。この方法はさらに、靴底を上記底面に取り付けて、加硫ゴムを上記底面と上記靴底の間へ配置する。この方法はまた、上記加硫ゴム、上記靴底、および上記底面を加熱して、上記靴底と上記底面を接着するステップを含む。
【００１７】
靴を組み立てる方法は、靴底、加硫ゴム、および底面を一緒に加硫するステップも含む
【００１８】
オプションとして靴を組み立てる方法は、上記靴底と底面との間に充填材を配置するステップ、および、充填材、靴底、加硫ゴム、および底面を加硫するステップを含む。
【００１９】
本発明、および、本発明に特有の特性と長所は、添付の図を参照してよく考えられた以下の詳細な説明により、さらに明らかになる。
【発明を実施するための最良の形態】
【００２０】
以下、添付の図を参照して発明の実施の形態を説明する。
【００２１】
図２は本発明による靴３０を描く。靴３０は、第１の表面３４をもつ甲皮３２、および上面３８と底面４０とをもつ足載せ手段３６を含む。足載せ手段３６は、中敷、敷皮、中底、つま革、または締め具取付補強材を含む、ユーザの足が納まる部材である。
【００２２】
図１、図５、および図６に示されているように、足載せ手段３６はさらに、足載せ手段３６から上面３８に対してほぼ平行方向に、または上面３８に対して水平方向に延在する外延部４２を含む。外延部４２は、より好ましくは、甲皮３２の第１の表面３４が、上面３８をエッジ４４へ接触させるおおよそのエリアから、外側へ延在する足載せ手段３６の周囲の端部であると定義してもよい。図２に示されるように、甲皮３２は上面３８全体の上方には延在しない。他の実施の形態では、甲皮３２は上面３８全体の上方に延在でき、そのような場合、第１の表面３４は、足載せ手段３６の周囲全体で上面３８に接する。
【００２３】
第１の表面３４を上面３８に固定するために、固定手段４６は、第１の表面３４が上面３８に接する隣接する場所で、甲皮３２を足載せ手段３６に縫い付けるために使用される。固定手段４６は、甲皮３２を足載せ手段３６に縫い付けるのに適した糸または釣り糸、ナイロンなどの可撓性の材料のである。好ましい実施の形態では、甲皮３２を足載せ手段３６に縫い付けるために使用できる固定手段４６は、糸、編み糸、ワイヤ、または可撓性の材料である。他の実施の形態では、固定手段４６は接着剤またはファスナーである。
【００２４】
オプションとして、美観を増すために、また、図１および図５に示されるように、覆い部４８が、固定手段４６が甲皮３２を足載せ手段３６に縫い付けるために使用できる。覆い部４８は、上面３８から、エッジ４４のまわりを、足載せ手段３６の底面４０まで達するいずれの材料でもよい。覆い部４８は、さらに、少なくとも１つの局所エリアにおいて足載せ手段の周囲に延在してもよい。
【００２５】
第２の固定手段５２は、固定手段４６の全ての制限を含み、図５に示されているように、上面３８に接するように覆い部４８、外延部４２、および底面４０に接するように覆い部４８を貫通することにより、覆い部４８を外延部４２へ縫い付けるために使用できる。
【００２６】
靴底５４は、中底または外底のどちらであってもよく、加硫により底面４０に取り付けられる。加硫は、靴底５４と底面４０の間に加硫ゴム５６を配置することを含む。底面４０に加え、靴底５４も覆い部に接する。
【００２７】
オプションとして、図４に示されるように、また履き心地のよさを増すために、またはより厚い靴底の外観を提供するために、充填材５８が底面４０と靴底５４の間に配置できる。充填材５８は、スペーサーのような隙間や空間を埋める部材である。充填材５８は、フォーム、ゴム、またはプラスチックなどの緩衝材からできていてもよいが、緩衝材である必要はない。
【００２８】
図３および図４に示されているように、側壁６０が、充填材５８、靴底５４、および／または覆い部４８と接し、これらの部品を互いに接続して、靴底５４および足載せ手段３６に対する充填材５８の相対的位置を維持するのを助けることにより、靴３０の支えを提供する。側壁６０は、靴３０の周囲の少なくとも１つの局所エリアにある。靴３０の外観の美しさを増すために、側壁６０は装飾品６２または他のデザインを側壁６０上にもってもよい。側壁６０は、充填材５８をもたない靴に使用できることは理解できる。その場合、側壁６０は靴底５４および／または覆い部４８に取り付けられる。側壁６０は、加硫を含む、靴底５４と同じ取り付け方法で取り付けられる。靴３０は、複数のデザインが側壁６４の外観を変えるために使用できるので、ある特徴の装飾品６２に限定されるべきではない。
【００２９】
加硫ゴムは、加硫に適した糊または接着剤でもよい。加硫ゴムは、さらに、靴底５４、充填材５８、および底面４０を固定するために靴底５４を底面４０に固定するためであっても、側壁６０を上記部品の全てへ固定するためであっても、靴３０の部品を固定するのに適した強度をもっているべきである。
【００３０】
図７は、図３で示された靴３０を用意する方法１００を描いている。方法１００は、第１の表面をもった甲皮を用意するステップ１０２、および上面と底面とをもつ足載せ手段を用意するステップ１０４を含む。方法１００はさらに、上面とほぼ平行な方向へ足載せ手段を広げ、その結果外延部を区画するステップ１０６を含む。
【００３１】
方法１００は、上記外延部に隣接する局所エリアで第１の表面を上面に接触させるステップ１０８をさらに含む。方法１００は、上記第１の表面が上記上面に接する場所に隣接するエリアで、甲皮を足載せ手段に固定するステップ１１０をさらに含む。方法１００は、糸または他の可撓性の縫う材料を使用して、甲皮を足載せ手段に固定できるステップ１１０を含む。
【００３２】
方法１００は、靴底を底面に取り付けるステップ１１２をさらに含む。好ましくは、靴底を底面に取り付けるステップ１１２は加硫によって行われてもよい。これは加硫ゴムを靴底と底面の間に配置することと、加硫により製造する靴の当業者に知られた温度まで靴底、底面、および加硫ゴムを加熱することを伴う。
【００３３】
方法１００は、履き心地のよさおよび外観の美しさを増すために、オプションとして、充填材を靴底と底面の間に配置するステップ１１６を含んでもよい。好ましい実施の形態では、充填材、靴底および底面は加硫により互いに取り付けられる。その取り付けられる箇所では、加硫ゴムが各部品の間に配置される。
【００３４】
方法１００の別のオプションの特徴は、充填材、靴底、および足載せ手段の側面へ側壁を配置するステップ１１８により、他の部品に対する充填材の相対的位置を維持するのを助けるステップを含む。充填材なしの実施の形態では、側壁は、靴底および足載せ手段の側面に配置できる（１１８）。靴の支えを提供するのに加えて、側壁は、その上の装飾デザインおよび装飾品を含むことにより、靴の外観の美しさも増す。側壁は、靴３０の周囲の少なくとも１つの局所エリアのまわりに配置され（１１８）、加硫を含む靴底を取り付けるステップ１１２と同じ取り付け技術を含む。
【図面の簡単な説明】
【００３５】
【図１ａ】当業者に知られたサンクリスピーノ構造をもつ靴を示す図
【図１ｂ】当業者に知られたサンクリスピーノ構造をもつ靴を示す図
【図２】本発明による靴を示す図
【図３】図２で示された靴の種々の部材を示す図
【図４】図１で示された靴の断面図を示す図
【図５】甲皮が敷皮に接するエリアの、甲皮、敷皮、および覆い部の分解組立図
【図６】甲皮および敷皮の分解組立図
【図７】図２に示された靴を提供する方法を示す図
【符号の説明】
【００３６】
１２  甲皮
１４  敷皮
１６  甲皮１２の内側に折り曲げられた端
１８  敷皮１４の底面
２０  糸
３０  靴
３２  甲皮
３４  第１の表面
３６  足載せ手段
３８  上面
４０  底面
４２  外延部
４４  エッジ
４６  固定手段
４８  覆い部
５２  第２の固定手段
５４  靴底
５８  充填材
６０  側壁
６２  装飾品
１００  方法
１０２  第１の表面をもつ甲皮を用意するステップ
１０４  上面と底面とをもつ足載せ手段を用意するステップ
１０６  上面とほぼ平行な方向へ足載せ手段を広げ、その結果外延部を区画するステップ
１０８  第１の表面を上面に接触させるステップ
１１０  外延部の近くで、甲皮を足載せ手段に固定するステップ
１１２  靴底を底面または充填材に取り付けるステップ
１１６  充填材を底面の下に配置するステップ
１１８  靴の側面へ側壁を配置するステップ
【図１ａ】
2004267779.tif 000003
【図１ｂ】
2004267779.tif 000004
【図２】
2004267779.tif 000005
【図３】
2004267779.tif 000006
【図４】
2004267779.tif 000007
【図５】
2004267779.tif 000008
【図６】
2004267779.tif 000009
【図７】
2004267779.tif 000010
【外国語明細書】
2004267779.tif 000011
2004267779.tif 000012
2004267779.tif 000013
2004267779.tif 000014
2004267779.tif 000015
2004267779.tif 000016
2004267779.tif 000017
2004267779.tif 000018
2004267779.tif 000019
2004267779.tif 000020
2004267779.tif 000021
2004267779.tif 000022
2004267779.tif 000023
2004267779.tif 000024
2004267779.tif 000025
2004267779.tif 000026
2004267779.tif 000027
2004267779.tif 000028
2004267779.tif 000029